(57)【要約】【課題】ミシンの水平回転釜の提供。【解決手段】本発明によると、ミシンの水平回転釜において、外釜が設けられ、該外釜内部に釜軸を具えた内釜が設けられ、内釜が軸線の周りを外釜に対して回転し、且つ釜軸に弾性部品とボビンシートが順に嵌合され、内釜とボビンシートの間に位置する該弾性部品によりボビンシートが押されて軸線方向に移動する。ボビンシート外にボビンが設けられ、また釜軸上端が釜軸ロックと相互に枢設され、釜軸ロックがロック位置とアンロック位置の間で回転可能とされ、ロック位置のとき、ボビン両端は釜軸ロックとボビンシートに共同で夾持される。また釜軸ロックの側面に位置制限部が凸設され、アンロック位置のとき、ボビンシートは上向きに弾性上昇し、並びに位置制限部により係止、位置決めされる。こうして使用者が回転釜のロック装置を押せば、スピーディーに且つ便利に内部のボビンを交換でき、また回転釜内部機構サイズを精密加工する必要がなく、且つ全体の構成部品数量を縮減でき、製造コストを減らせる。【選択図】図３
2015009148.tif 000002
【特許請求の範囲】
【請求項１】
ミシンの水平回転釜において、
外釜と、
内釜であって、上述の外釜の内部に取り付けられるとともに、軸線を中心として上述の外釜に対して回転し、釜軸が設けられている、上記内釜と、
上述の釜軸上に嵌合されるボビンシートと、
弾性部品であって、上述の内釜と上述のボビンシートの間に介装されて、上述のボビンシートを押して上述の軸線の方向に上向きに移動させる、上記弾性部品と、
釜軸ロックであって、上述の釜軸に枢設され、且つ少なくとも一つの側面に位置制限部が凸設された、上記釜軸ロックと、
上述のボビンシートに嵌合されるボビンと、
を包含し、上述の釜軸ロックは選択的に回されて上述の軸線と垂直なロック位置にいたるか、或いは上述の軸線と平行なアンロック位置に至り、上述の釜軸ロックがロック位置に位置するとき、上述のボビンの両端はそれぞれ上述の釜軸ロックと上述のボビンシートの共同の夾持を受け、上述の釜軸ロックがアンロック位置に位置するとき、上述のボビンシートは上述の弾性部品の作用を受けてポップアップし、並びに上述の釜軸ロックの位置制限部により係止位置決めされることを特徴とする、ミシンの水平回転釜。
【請求項２】
請求項１記載のミシンの水平回転釜において、上述のボビンシートは嵌合管部と上述の嵌合管部の底端に位置する環凸部を具えたことを特徴とする、ミシンの水平回転釜。
【請求項３】
請求項２記載のミシンの水平回転釜において、上述のボビンの底端は上述の環凸部を支持し、上述のボビンの上端は上述の嵌合管部の上面より突出して上述の釜軸ロックがロック位置にあるときに押圧されることを特徴とする、ミシンの水平回転釜。
【請求項４】
請求項２記載のミシンの水平回転釜において、上述の環凸部の底端にさらに、上述の弾性部品の上部の係止に供される環状切溝が設けられることを特徴とする、ミシンの水平回転釜。
【請求項５】
請求項２記載のミシンの水平回転釜において、上述の嵌合管部の二つの背向側面にそれぞれ取り付け孔と取り外し孔が設けられ、上述の取り付け孔にピンが通され、上述の取り外し孔の孔径は上述のピンより小さく、工具を挿入して上述のピンを押して、上述のピンを上述の取り付け孔より外向きに押し出すのに供されることを特徴とする、ミシンの水平回転釜。
【請求項６】
請求項１記載のミシンの水平回転釜において、上述の弾性部品は下から上に漸縮する錐形バネとされることを特徴とする、ミシンの水平回転釜。
【請求項７】
請求項１記載のミシンの水平回転釜において、上述の釜軸ロックにさらに使用者が回す操作に便利な凹部が設けられることを特徴とする、ミシンの水平回転釜。
【発明の詳細な説明】
【技術分野】
【０００１】
本発明は縫製作業に用いられる一種の水平式回転釜に係り、特に一種の被動式ポップアップ機構を有して便利にスピーディーにボビンを交換できるミシンの水平回転釜に関する。
【背景技術】
【０００２】
図１を参照されたい。伝統的なミシンの回転釜は、外釜（図示せず）、内釜１０、錐形バネ１１、ボビン１２及びロック部品１３を包含する。そのうち、内釜１０内部には釜軸１０１があり、且つ釜軸１０１周囲には、下から上に漸次膨張する錐形バネ１１が設けられ、錐形バネ１１が直接上述のボビン１２底端を支持して直接ポップアップ部品を形成し、ロック部品１３が水平のロック状態から回されて垂直のアンロック状態とされるとき、ボビン１２は内釜１０内部より上向きにポップアップする。この錐形バネ１１の設置の目的は、摩擦抵抗を提供し、ボビン１２の空転を防止し、並びに使用者がボビン１２を取り出しやすくすることにある。
【０００３】
しかし、このような回転釜の欠点は、ボビン１２の空転を防止する部品として、単独の錐形バネ１１が採用されているだけであるところであり、そのボビン１２に提供する摩擦力はあまり安定しておらず、且つ錐形バネ１１はボビン１２と内釜１０の間に夾持され、その他のいかなる位置制限構造もないことである。これにより、ボビン１２を取り外した後、錐形バネ１１はほかに位置制限手段がないため、往々にして錐形バネ１１が取り外し過程で遺失し、このため、伝統的な回転釜はすなわち、使用上、不足するところがあり、ゆえに市場には別に一種の、部品の遺失を防止できる回転釜の設計が出現した。
【０００４】
図２を参照されたい。このような部品遺失を防止できる回転釜は、外釜（図示せず）、内釜２０、錐形バネ２１、ボビンシート２２、止滑弾性片２３、ボビン２４及びロック部品２５を包含する。そのうち、内釜２０内部には釜軸２０１があり、且つ釜軸２０１の周囲に、下から上に漸次拡張する錐形バネ２１が設けられ、並びに錐形バネ２１によりボビンシート２２の底部が支持され、ボビンシート２２の上方は、順に止滑弾性片２３、及びボビン２４が嵌合され、並びに止滑弾性片２３がボビン２４の底部を支持し、ボビン２４の慣性による空転を防止している。
【０００５】
このような回転釜は、ボビンシート２２と内釜２０周囲の固定ネジ２６により係止位置制限手段を達成し、これによりボビンシート２２及び錐形バネ２１が内釜２０より分離しないようにしている。しかし、一般に回転釜のボビン２４の外径と内釜２０の内径との差は非常に小さく（すなわち両者の間の間隙は非常に小さい）、またボビンシート２２のフランジ外径と固定ネジ２６の突出長さは上述の差の間でなければならず、それによってボビンシート２２は固定ネジ２６により係止、位置制限され、ボビン２４は順調に内釜２０中で上向きにポップアップされて、固定ネジ２６による干渉をうけず、これにより全体の部品の組み合わせ関係のために、比較的加工は精密でなければならない。このほか、このような回転釜の内部には止滑弾性片２３が増設されて、安定した摩擦抵抗力を提供するものの、回転釜部品数が増加することになり、全体の水平回転釜の製造コストの増加につながる。
【発明の概要】
【発明が解決しようとする課題】
【０００６】
本発明の主要な目的は、被動式ポップアップ機構を具えたミシンの水平回転釜を提供することにあり、それは、使用者がロック装置を回すことでスピーディーに且つ便利に回転釜内部のボビンを交換でき、大幅に回転釜の実用性と使用上の便利性を増せるものとする。
【０００７】
本発明のもう一つの目的は、水平回転釜内部のポップアップ機構の部品数を減らし、且つ弾圧機構を精密に加工しなくとも、係止位置制限の効果を達成できるようにし、大幅に回転釜の製造コストを減らせるようにすることにある。
【課題を解決するための手段】
【０００８】
上述の目的を達成するため、本発明のミシンの水平回転釜は、外釜、内釜、ボビンシート、弾性部品、釜軸ロック、及びボビンを包含する。そのうち、上述の内釜は上述の外釜内部に取り付けられ、並びに軸線を中心とし上述の外釜に対して回転し、並びに上述の軸線と同軸の釜軸が設けられている。上述のボビンシートは上述の釜軸に嵌合され、嵌合軸部と上述の嵌合軸部底端に位置する環凸部を具えている。上述の弾性部品は上述の内釜と上述のボビンシートの間に位置し、上述のボビンシートを押して上述の軸線方向にあって上向きに移動させるのに用いられる。上述の釜軸ロックは上述の釜軸に枢設され、上述の釜軸にピンで枢接位置決めされる枢接端と選択的に揺動移動させられる自由端を具え、且つ少なくとも一つの側面に位置制限部が凸設されている。上述のボビンは上述のボビンシート上に嵌合される。
【０００９】
本発明の釜軸ロックは選択的に回されて上述の軸線と垂直なロック位置或いは上述の軸線と平行なアンロック位置とされ得る。上述の釜軸ロックがロック位置にあるとき、上述のボビンの両端はそれぞれ上述の釜軸ロックと上述のボビンシートによる共同の夾持をうける。そのうち、上述のボビンの底端は上述の環凸部に支持され、上述のボビン上端は上述の嵌合管上面より突出し、上述の釜軸ロックがロック位置にあるときに押圧される。このほか、上述の釜軸ロックがアンロック位置にあるとき、上述のボビンシートは上述の弾性部品の作用を受けて上向きにポップアップし、並びに上述の釜軸ロックの位置制限部により係止、位置決めされる。
【００１０】
本発明のある好ましい実施例によると、上述の環凸部の底端にさらに環状切溝が設けられ、上述の弾性部品は下から上に漸次縮小する錐形バネとされ、並びに上述の錐形バネの上部の環部が上述の環状切溝中に係止位置決めされる。
【００１１】
このほか、本発明の嵌合管部の二つの背向側面にそれぞれ取り付け孔と、孔径が上述のピンより小さい取り外し孔が設けられ、上述の取り付け孔に上述のピンが挿入され、上述の取り外し孔は、工具を挿入して、上述のピンを外向きに押し出すのに用いられる。さらに、上述の釜軸ロックの背面辺縁にさらに凹部が設けられ、使用者が釜軸ロックを回すのに便利とされている。
【発明の効果】
【００１２】
本発明の特徴は、水平回転釜が、選択的に回されてロック位置とされてボビンが釜軸ロックとボビンシートによる共同の位置制限をうけるか、或いは、アンロック位置とされて弾性部品によりボビンシートがポップアップされた後に釜軸ロックの位置制限部により係止位置決めされる。このような単一の弾性部品設計は、回転釜の全体設計を簡易化できるのみならず、ボビンシートに釜軸ロックを組み合わせた係止により、回転釜全体部品が精密加工によらずにボビンシートのポップアップ高さを制限する効果を達成できるようにし、大幅に水平回転釜の製造コストを減らし、またボビン交換のときに、水平回転釜内部部品の遺失を防止することができる。
【図面の簡単な説明】
【００１３】
【図１】周知のミシンの水平回転釜の断面図である。
【図２】周知のもう一つのミシンの水平回転釜の断面図である。
【図３】本発明のミシンの水平回転釜の分解図である。
【図４】本発明の水平回転釜のロック状態のときの断面図である。
【図５】図４の水平回転釜の断面拡大図である。
【図６】本発明の水平回転釜のアンロック状態でボビンがポップアップしたときの断面図である。
【図７】本発明の水平回転釜のピン取り付け時の断面図である。
【図８】本発明の水平回転釜のピン取り外し時の断面図である。
【発明を実施するための形態】
【００１４】
以下に本発明の技術内容、構造特徴、達成する目的及び作用効果について、以下に例を挙げ並びに図面を組み合わせて詳細に説明する。
【００１５】
図３を参照されたい。本発明の水平回転釜３０は、軸線４０の周りを回転し、外釜３１、内釜３２、ボビンシート３３、弾性部品３４、釜軸ロック３５及びボビン３６で構成されている。上述の外釜３１は、釜本体３１１を具え、釜本体３１１内部に、上述の内釜３２を収容する収容空間３１２が画定され、且つ上述の釜本体３１１の底面には、ミシンの駆動軸（図示せず）が挿入、固定される。
【００１６】
上述の内釜３２は、回転自在に、上述の外釜３１の収容空間３１２に取り付けられ、環状杯体３２１が設けられ、且つ上述の環状杯体３２１の中央に、上述の軸線４０と同軸心の中空釜軸３２２を具え、これにより上述の環状杯体３２１の内部に環形凹溝３２３が形成され、また、上述の釜軸３２２の上部に、嵌め溝３２４が下向きに凹設され、且つ上述の嵌め溝３２４の両側それぞれに、上述の釜軸３２２を貫通するピン孔３２５が設けられ、上述の釜軸３２２内部にバネ３２６及び上述のバネ３２６の上端に位置する支持部品３２７が設けられる。
【００１７】
このほか、上述の外釜３１と内釜３２の間の接触面は、相互に組み合わされる軌道を具え、上述の外釜３１の内壁に凹形軌道３１３が設けられ、上述の内釜３２の外壁周囲に凸形軌道３２８が設けられ、これにより上述の外釜３１が上述の内釜３２に対してスライド式に回転できるものとされる。
【００１８】
上述のボビンシート３３は上述の釜軸３２２上に嵌合され、上述の釜軸３２２と隣り合う嵌合管部３３１及び上述の嵌合管部３３１の底端に位置し外向きに延伸された環凸部３３２を具え、上述の環凸部３３２の底端下縁に環状切溝３３３が設けられ、また上述の環凸部３３２と上述の環状杯体３２１の壁面の間に間隔空間３３４が形成される。このほか、上述の嵌合管部３３１の二つの背向する側面にそれぞれ取り付け孔３３５及び取り外し孔３３６が設けられる。
【００１９】
図４を参照されたい。上述の弾性部品３４は同様に上述の釜軸３２２上に嵌合され、並びに上述の内釜３２と上述のボビンシート３３の間に介装され、上述のボビンシート３３を押して上述の軸線４０方向において垂直移動させるのに用いられる。
【００２０】
図示される好ましい実施例中、上述の弾性部品３４は下から上に漸縮する錐形バネ３４１とされ、並びに上述の錐形バネ３４１の底部の比較的大きな第１環部３４２は上述の環状杯体３２１の底面を頂持し、また上述の錐形バネ３４１の上部の比較的小さい第２環部３４３は上述の環状切溝３３３中に嵌止される。そのうち、上述の錐形バネ３４１が圧力をうける時、上述の錐形バネ３４１は変形して平面状態となり、こうして上述のボビンシート３３を加工させ上述の環状杯体３２１の内底面に接近させる。
【００２１】
上述の釜軸ロック３５は上述の釜軸３２２上部に組み付けられる枢接端３５０及び選択的に揺動し移動する自由端３５１を具え、且つ上述の枢接端３５０と自由端３５１の間の少なくとも一つの側面に、位置制限部３５２が設置され、上述の枢接端３５０は枢接孔３５３を具え、並びにピン３５４が上述の二つのピン孔３２５と枢接孔３５３に挿入され、これにより上述の釜軸ロック３５と釜軸３２２が相互に枢接され、上述の自由端３５１はフック状構造に形成された糸通し溝３５５及び使用者が回すのに便利な凹部３５６を具えている（図６を参照されたい）。
【００２２】
図５を参照されたい。上述の枢接端３５０は上述の支持部品３２７と接触する第１接触面３５７及び上述の第１接触面３５７とほぼ垂直を呈する第２接触面３５８を具え、図示されるように、上述の第１接触面３５７と上述の支持部品３２７が接触するとき、上述の釜軸ロック３５は上述の軸線４０と相互に垂直となりロック状態を形成する。
【００２３】
図６を参照されたい。上述の第２接触面３５８と上述の支持部品３２７と接触するとき、上述の釜軸ロック３５は上述の軸線４０と相互に平行となりアンロック状態を形成し、こうして釜軸ロック３５がロック位置とアンロック位置の間で位置の切り換えを行なう。
【００２４】
上述のボビン３６は上述の嵌合管部３３１に嵌合される円筒３６１を具え、並びに上述の円筒３６１の上下両端よりそれぞれ水平に上フランジ３６２と下フランジ３６３が延伸され、これにより、上述のボビン３６が糸を収容する糸収容溝３６４を形成する。
【００２５】
このほか、一般にミシンのボビン３６のサイズはいずれも通用規格を有し、本発明のボビン３６は上述のボビンシート３３により上述の釜軸３２２に取り付けられ、ゆえに、周知の回転釜の内釜１０の釜軸１０１外径は、本発明のボビンシート３３の嵌合管部３３１の外径サイズと同じであり、本発明の釜軸３２２の外径は、周知の釜軸１０１の外径より小さい。
【００２６】
本発明の特徴は、上述のボビンシート３３と釜軸ロック３５が共同で上述のボビン３６の空転を防止する夾持手段を形成し、このほか、上述の弾性部品３４と釜軸ロック３５が共同で上述のボビンシート３３のポップアップの位置制限を行なう係止手段を形成することにある。
【００２７】
そのうち、いわゆる夾持手段は、上述の釜軸ロック３５が選択的に回転して上述の軸線４０と垂直なロック位置に至るとき、上述のボビン３６の上フランジ３６２と下フランジ３６３がそれぞれ上述の釜軸ロック３５と上述のボビンシート３３の共同の夾持位置制限をうけることを指す。図５を参照されたい。図示される好ましい実施例中、上述のボビン３６の下フランジ３６３は上述の環凸部３３２上面に支持され、上述のボビン３６の上端は上述の嵌合管部３３１の上面より突出し、上述の釜軸ロック３５がロック位置にあるときに頂持してボビン３６の空転を防止するのに供される。
【００２８】
いわゆる係止手段は、上述の釜軸ロック３５が選択的に回転させられ上述の軸線４０と平行なアンロック位置とされ、上述のボビンシート３３が上述の弾性部品３４の作用を受けて上向きにポップアップして設定高度となった後、その上面が上述の釜軸ロック３５両側面の位置制限部３５２により係止位置決めされ、上述のボビンシート３３、弾性部品３４が上述の内釜３２より離脱して、水平回転釜３０の内部部品が遺失するのを防止する。
【００２９】
図７を参照されたい。本発明の水平回転釜３０は組み立て時に、上述のボビンシート３３が上述の弾性部品３４及び釜軸ロック３５の押圧位置制限を受けなければならず、これにより、本発明は上述のピン３５４が取り付けられる時、上述のボビンシート３３の取り付け孔３３５の高さを調整することで、上述の取り付け孔３３５が上述の二つのピン孔３２５と枢接孔３５３に揃えられ、さらに上述のピン３５４が上述の取り付け孔３３５に通され、上述のピン３５４が上述の二つのピン孔３２５と枢接孔３５３の間に固定枢設される。
【００３０】
図８を参照されたい。このほか、上述のピン３５４を取り外したい時は、使用者は上述の取り付け孔３３５の高さを上述の二つのピン孔３２５と枢接孔３５３に揃え、このとき、工具５０を孔径が上述のピン３５４より小さい取り外し孔３３６中に挿入し、上述の工具５０により上述のピン３５４を押して、上述のピン３５４を上述の取り付け孔３３５より外向きに押し出す。
【００３１】
総合すると、本発明の水平回転釜のボビンは、釜軸ロックとボビンシートの共同の位置制限を受け、伝統的な回転釜に較べ、止滑弾性片の設計に置き換えられている。このほか、本発明は弾性部品がボビンシートをポップアップした後に、釜軸ロックの位置制限部で係止位置決めし、回転釜内部のボビンシート、弾性部品などの部品が遺失しやすい問題を改善できるほか、ボビンシートが固定ネジと接触して係止される必要がないため、周知の技術のアンロックポップアップ状態の時に、精密に固定ネジを組み合わせて位置決めするボビンシートの加工問題を改善し、大幅に水平回転釜の製造コストを減らせる。
【００３２】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【符号の説明】
【００３３】
［周知の技術］
１０  内釜
１０１  釜軸
１１  錐形バネ
１２  ボビン
１３  ロック部品
２０  内釜
２０１  釜軸
２１  錐形バネ
２２  ボビンシート
２３  止滑弾性片
２４  ボビン
２５  ロック部品
２６  固定ネジ
［本発明］
３０  水平回転釜
３１  外釜
３１１  釜本体
３１２  収容空間
３１３  凹形軌道
３２  内釜
３２１  環状杯体
３２２  釜軸
３２３  環形凹溝
３２４  嵌め溝
３２５  ピン孔
３２６  バネ
３２７  支持部品
３２８  凸形軌道
３３  ボビンシート
３３１  嵌合管部
３３２  環凸部
３３３  環状切溝
３３４  間隔空間
３３５  取り付け孔
３３６  取り外し孔
３４  弾性部品
３４１  錐形バネ
３４２  第１環部
３４３  第２環部
３５  釜軸ロック
３５０  枢接端
３５１  自由端
３５２  位置制限部
３５３  枢接孔
３５４  ピン
３５５  糸通し溝
３５６  凹部
３５７  第１接触面
３５８  第２接触面
３６  ボビン
３６１  円筒
３６２  上フランジ
３６３  下フランジ
３６４  糸収容溝
４０  軸線
５０  工具
【図１】
2015009148.tif 000003
【図２】
2015009148.tif 000004
【図３】
2015009148.tif 000005
【図４】
2015009148.tif 000006
【図５】
2015009148.tif 000007
【図６】
2015009148.tif 000008
【図７】
2015009148.tif 000009
【図８】
2015009148.tif 000010